(57)【要約】【課題】  本発明は，無線通信システムにおいて生じる干渉を緩和することができるチャネル分配方法を提供することを目的とする。【解決手段】  本発明のチャネル分配方法は，ＦＤＭＡ型の無線通信システムで利用される。このチャネル分配方法では，干渉のモニタリングを行うモニタリングステップと，チャネルを分配するチャネル分配ステップとが実行される。このチャネル分配ステップでは，モニタリングステップでモニタリングされた干渉に基づいて，複数の通信リンクへとチャネルを割り当てる。これにより，チャネルの分配が行われる。【選択図】図３
2010258714.tif 000002
【特許請求の範囲】
【請求項１】
ＦＤＭＡ型の無線通信システムにおけるチャネル分配方法であって，
干渉のモニタリングを行うモニタリングステップと，
チャネルを分配するチャネル分配ステップと
を含み，
前記チャネル分配ステップでは，
前記モニタリングステップでモニタリングされた干渉に基づいて，複数の通信リンクへとチャネルを割り当てることで，前記チャネルの分配を行い，
これにより，前記割り当てを最適化することで干渉を低減させる，
チャネル分配方法。
【請求項２】
前記無線通信システムは，
ネットワークコントローラー内に構成されたチャネル分配器を含み，
前記複数の通信リンクは，互いに異なる通信リンクを少なくとも２つ含み，
前記チャネル分配器は，
前記互いに異なる２つの通信リンクに共通する干渉が最も小さくなるように，当該２つの通信リンクに共通するチャネルを分配する，
請求項１に記載のチャネル分配方法。
【請求項３】
前記チャネル分配器が，関連する通信リンクの全てがパイロット信号を送出するためのスケジューリングを行うステップと，
全ての通信リンクが前記ネットワークコントローラーに対して，受信した前記パイロット信号の結果を送信するステップと，
前記ネットワークコントローラーが，前記複数の通信リンクの間にある潜在的な干渉に関する情報を評価するステップと
を含む，請求項２に記載のチャネル分配方法。
【請求項４】
前記モニタリングステップは，
前記チャネル分配器が，前記複数の通信リンクからのフィードバック情報に基づいて，モニタリングした干渉に関する干渉モニタリングテーブルを作成するステップを含む，
請求項２又は請求項３に記載のチャネル分配方法。
【請求項５】
前記干渉モニタリングテーブルを作成するステップは，所定の周期で実行され，
これにより，前記干渉モニタリングテーブルは，周期的に更新される，
請求項４に記載のチャネル分配方法。
【請求項６】
前記干渉モニタリングテーブルが更新されるたびに，
前記チャネル分配ステップが実行され，
これにより，前記共通する干渉に関する情報も新たに更新される，
請求項５に記載のチャネル分配方法。
【請求項７】
前記チャネル分配器が前記干渉を最小化するステップを含み，
当該干渉を最小化するステップは，
前記複数の通信リンクが，相互に向かって最小限の干渉を持つことで隣接する周波数帯域を占有するようにスケジューリングを行うステップを含む，
請求項２〜請求項６のいずれか１項に記載のチャネル分配方法。
【請求項８】
前記チャネル分配方法は，無線通信システムに適用され，
前記無線通信システムは，周波数帯がミリ波の無線通信システムを含む，
請求項１〜請求項７のいずれか１項に記載のチャネル分配方法。
【請求項９】
ＦＤＭＡ型の無線通信システムであって，
干渉のモニタリングを行うモニター手段と，
チャネルを分配するチャネル分配手段と
を含み，
前記チャネル分配手段は，
前記モニター手段がモニタリングした干渉に基づいて，複数の通信リンクへとチャネルを割り当てることで，前記チャネルの分配を行い，
これにより，前記割り当てを最適化することで干渉を低減させる，
無線通信システム。
【発明の詳細な説明】
【技術分野】
【０００１】
本発明は，無線通信システムにおけるチャネル分配方法，及び無線通信システムに関し，ＦＤＭＡ（Ｆｒｅｑｕｅｎｃｙ  Ｄｉｖｉｓｉｏｎ  Ｍｕｌｔｉｐｌｅ  Ａｃｃｅｓｓ：周波数分割多元接続）型の無線通信システムにおけるチャネル分配方法，並びに，当該チャネル分配方法を用いる無線通信システムなどに関する。
【背景技術】
【０００２】
無線通信システムでは，時分割を行ってスーパーフレームと称されるセグメントにすることが行われている（非特許文献１参照。）。このスーパーフレームは，フレーム送信のスケジューリング用の時間参照に用いられる。
【０００３】
スーパーフレームは，図６に示す構造をもつ。スーパーフレームに対応する期間は，まず，ネットワークコントローラー（ＮＣ）がビーコンを送出することで始まり，そのビーコン期間の後，周波数チャネル割り当て期間（ＦＣＡＰ：ｆｒｅｑｕｅｎｃｙ  ｃｈａｎｎｅｌ  ａｌｌｏｃａｔｉｏｎ  ｐｅｒｉｏｄ）が続く。ここで，ＦＣＡＰでは，ＦＤＭＡが利用される。
【０００４】
無線通信システムにおいて，無線送信機と無線受信機の対が通信リンクのセットアップを希望している場合，無線送信機は，まず，ビーコン期間において，送出されているビーコンを検知して，そのビーコンを送出したネットワークコントローラー（ＮＣ）との間でアソシエーションをとる必要がある。続いて，ネットワークコントローラー（ＮＣ）は，アソシエーションに成功している通信リンクに対して空きチャネルを分配する。これにより，新しい通信リンクが確立する。そして，この通信リンクでは，割り当てられているチャネルを用いてＦＣＡＰに対応する期間内に無線通信を開始する。ここで，従来のＦＤＭＡ型の無線通信システムでは，図７に示すように，各通信リンクに対して１つの固有のチャネルが割り当てられるようになっている。
【０００５】
しかしながら，互いに隣接する２つのチャネルは，相互に干渉を与えることとなる。この干渉は，隣接チャネル干渉（ＡＣＩ：ａｄｊａｃｅｎｔ  ｃｈａｎｎｅｌ  ｉｎｔｅｒｆｅｒｅｎｃｅ）と呼ばれている。
【０００６】
ところで，通信リンクの数がチャネル数よりも多い場合，通信リンクに対してチャネルを割り当てることができなくなり，スループットが低下する。そこで，ＦＤＭＡ型の無線通信システムにおいて，１つのチャネルに対して，複数の通信リンクを割り当てることを考えることとする。しかしながら，この場合にも，１つのチャネルを複数の通信リンクが共有することになるので，干渉が生じることとなる。この干渉は，共通チャネル干渉（ＣＣＩ：ｃｏ−ｃｈａｎｎｅｌ  ｉｎｔｅｒｆｅｒｅｎｃｅ）と呼ばれている。
【０００７】
上述したようなＡＣＩやＣＣＩといった干渉は，無線通信システムのパフォーマンスを著しく低下させる。特に，通信リンクの数が増大した結果，トラフィックが混雑した場合には，干渉の度合いがさらに大きくなることとなる。ここで，ＡＣＩ及びＣＣＩの度合いを小さくするための解決策の１つとしては，通信リンクの数を制限したり又は少なくしたりすることが考えられる。しかし，そうすると，無線通信システムのスループットまでもが低下してしまうこととなる。
【先行技術文献】
【非特許文献】
【０００８】
【非特許文献１】ＩＥＥＥ，「ＩＥＥＥ  ８０２．１５  ＷＰＡＮ  Ｔａｓｋ  Ｇｒｏｕｐ  ３ｃ  （ＴＧ３ｃ）  Ｍｉｌｌｉｍｅｔｅｒ  Ｗａｖｅ  Ａｌｔｅｒｎａｔｉｖｅ  ＰＨＹ」，［ｏｎｌｉｎｅ］，平成２１年４月１９日，ＩＥＥＥ，（平成２１年４月１９日検索），インターネット，＜ＵＲＬ：http://www.ieee802.org/15/pub/TG3c.html＞
【発明の概要】
【発明が解決しようとする課題】
【０００９】
そこで，本発明は，無線通信システムにおいて生じるＡＣＩやＣＣＩ等の干渉を緩和することができるチャネル分配方法を提供することを主な目的とする。また，本発明は，当該チャネル分配方法が適用された無線通信システムを提供することも目的とする。
【００１０】
また，本発明は，無線通信システムにおいて干渉の度合いを最小限に抑えつつ，スループットを高めることができるチャネル分配方法を提供することを副次的な目的とする。また，本発明は，当該チャネル分配方法が適用された無線通信システムを提供することも目的とする。
【課題を解決するための手段】
【００１１】
本発明は，基本的には，無線通信におけるチャネル分配方法などに関する。本発明のチャネル分配方法は，ＦＤＭＡ型の無線通信システムで利用される。
【００１２】
本発明のチャネル分配方法では，干渉のモニタリングを行うモニタリングステップと，チャネルを分配するチャネル分配ステップとが実行される。このチャネル分配ステップでは，モニタリングステップでモニタリングされた干渉に基づいて，複数の通信リンクへとチャネルを割り当てる。ここで，チャネルとは，無線通信に用いる周波数帯域をいう。これにより，チャネルの割り当てが最適化された状態でチャネルの分配を行うことができる。これにより，無線通信システムにおいて生じる干渉を緩和することができる。
【００１３】
また，本発明の他の側面では，上記無線通信システムが，ネットワークコントローラー内に構成されたチャネル分配器を含んでいる。また，複数の通信リンクは，互いに異なる通信リンクを少なくとも２つ含んでいる。そして，上記チャネル分配器は，互いに異なる２つの通信リンクに共通する干渉が最も小さくなるように，当該２つの通信リンクに共通するチャネルを分配する。これにより，スループットを確実に高めることができる。
【００１４】
また，本発明の好ましい側面では，上記チャネル分配方法が，以下の３つのステップをさらに含んでいる。上記チャネル分配器が，関連する通信リンクの全てがパイロット信号を送出するためのスケジューリングを行うステップ；全ての通信リンクがネットワークコントローラーに対して，受信した前記パイロット信号の結果を送信するステップ；及びネットワークコントローラーが，複数の通信リンクの間にある潜在的な干渉に関する情報を評価するステップ。これにより，各通信リンクからの情報を確実に収集することができる。
【００１５】
また，本発明の他の側面では，上記モニタリングステップで，上記チャネル分配器が，複数の通信リンクからのフィードバック情報に基づいて，モニタリングした干渉に関する干渉モニタリングテーブルを作成する。これにより，各通信リンクからの情報を容易に評価することができる。
【００１６】
また，本発明の好ましい側面では，干渉モニタリングテーブルを作成するステップが所定の周期で実行される。これにより，干渉モニタリングテーブルが周期的に更新される。このため，通信リンクに変動（たとえば，通信リンクを構成する無線通信デバイスに移動）等があっても，最新の情報を用いて干渉を低減させることができる。
【００１７】
また，本発明のより好ましい側面では，上記干渉モニタリングテーブルが更新されるたびに，チャネル分配ステップが実行される。これにより，共通する干渉に関する情報も新たに更新される。このため，この側面によれば，より確実に干渉を低減させることができる。
【００１８】
また，本発明の他の側面では，上記チャネル分配方法が，干渉を最小化するステップを含んでいる。このステップは，チャネル分配器によって行われる。そして，当該干渉を最小化するステップでは，複数の通信リンクが，相互に対して最小限の干渉を持つことで隣接する周波数帯域を占有するようにスケジューリングを行う。これにより，ＡＣＩを確実に低減させることができる。
【００１９】
また，本発明の他の側面では，チャネル分配方法が，ミリ波帯の無線通信システムに適用される。これにより，無認可の周波数帯域（ミリ波帯）であっても，干渉を確実に低減させることができる。
【００２０】
また，本発明の別の側面は，ＦＤＭＡ型の無線通信システムに関する。この無線通信システムは，干渉のモニタリングを行うモニター手段と，チャネルを分配するチャネル分配手段とを含んでいる。そして，チャネル分配手段は，モニター手段がモニタリングした干渉に基づいて，複数の通信リンクへとチャネルを割り当てることで，チャネルの分配を行う。これにより，割り当てを最適化することで干渉を低減させることができる。
【発明の効果】
【００２１】
本発明によれば，無線通信システムにおいて生じる干渉を緩和することができる。また，本発明によれば，無線通信システムにおいて干渉の度合いを最小限に抑えつつ，スループットを高めることができる。
【図面の簡単な説明】
【００２２】
【図１】図１は，本発明の無線通信システムの構成を例示する図である。
【図２】図２は，チャネル割り当ての結果，干渉の度合いが大きかった場合を説明するための図である。
【図３】図３は，図１に示すネットワークコントローラー（ＮＣ）によって実行される無線通信におけるチャネル分配方法の手順を示すフローチャートである。
【図４】図４は，本発明におけるスーパーフレームのＦＣＡＰ（周波数チャネル割り当て期間）を説明するための図である。
【図５】図５は，図３のチャネル分配処理にしたがって，割り当てられたチャネルと通信リンクとの関係を説明するための図である。
【図６】図６は，従来の無線通信システムにおけるスーパーフレームを説明するための図である。
【図７】図７は，ＦＤＭＡ（周波数分割多元接続）型の無線通信システムにおける，チャネルと通信リンクとの関係を説明するための図である。
【発明を実施するための形態】
【００２３】
以下，図面を用いて本発明を実施するための最良の形態を説明する。しかしながら，以下説明する形態はある例であって，当業者にとって自明な範囲で適宜修正することができる。
【００２４】
図１は，本発明の無線通信システムの構成を例示する図である。
【００２５】
図１に示す無線通信システム１は，ＮＣ搭載デバイスと，複数の無線通信デバイスとを含んで構成されている。この無線通信システム１では，複数の無線通信デバイス間で，ミリ波帯（例えば６０ＧＨｚ帯）を用いた無線通信（データ通信）が行われる。データ通信は，１対の無線通信デバイスの間で，利用可能なチャネルのうちの１つのチャネルを用いて行われる。
【００２６】
無線通信デバイスは，他の無線通信デバイスとの間でデータの送受信が可能に構成されている。したがって，無線通信の際，一方の無線通信デバイスが，データを送信する無線送信機として機能し，他方の無線通信デバイスが，送信されたデータを受信する無線受信機として機能することとなる。なお，無線通信デバイスは，データの送信だけが可能なものであってもよいし，データの受信だけが可能なものであってもよいが，この場合には，少なくともＮＣ搭載デバイスとの間でアソシエーションを行うことができるように構成されている。
【００２７】
ＮＣ搭載デバイスは，ネットワークコントローラー（ＮＣ：ｎｅｔｗｏｒｋ  ｃｏｎｔｒｏｌｌｅｒ）が搭載されており，無線通信デバイスと同様に，データの送受信が可能に構成されている。ネットワークコントローラー（ＮＣ）の例としては，ピコネットコーディネーター（ＰＮＣ）を挙げることができる。
【００２８】
ネットワークコントローラー（ＮＣ）は，無線通信デバイス１に属する複数の無線通信デバイスのアクセス制御などを行う。そして，ネットワークコントローラー（ＮＣ）は，アクセス制御を行った後，無線通信を確立すべき無線通信デバイスの対（以下，通信リンクともいう）を決定するように構成されている。図１に示す例では，無線通信デバイスの数は８個であるため，４つの通信リンク（通信リンク１，２，３，４）が形成可能である。
【００２９】
また，ネットワークコントローラー（ＮＣ）には，チャネル分配器（図示せず）が設けられている。このチャネル分配器は，ソフトウェアで形成されていてもよいし，一部がハードウェアで構成されていてもよい。チャネル分配器は，ネットワークコントローラー（ＮＣ）で決定した通信リンクに対してチャネルを割り当てるためのものである。本態様に係る無線通信システム１では，複数のチャネルが利用可能となっている。そのため，チャネル分配器は，通信リンクに応じて，複数のチャネルの中から，適切なチャネルを割り当てるように構成されている。また，チャネル分配器は，通信リンクの数が，利用可能なチャネルの数よりも多い場合には，１つのチャネルに対して複数（２つ又は３つ以上）の通信リンクを割り当てるように構成されている。これにより，無線通信システム１では，ＦＤＭＡ型の無線通信を行うことができるようになり，スループットを高めることができる。
【００３０】
ところで，チャネル分配器が通信リンクに対してチャネルを割り当てると，干渉が生じて，その結果，無線通信システム１のパフォーマンスが著しく低下することとなる。図２は，チャネル割り当ての結果，干渉の度合いが大きかった場合を説明するための図である。
【００３１】
具体的には，図２は，利用可能なチャネルの数が２つである場合において，例えば，一方のチャネルに対して２つの通信リンクを割り当て，他方のチャネルに対して１つの通信リンクを割り当てたときを示している。図２に示すように，１つのチャネルを共有している２つの通信リンクでは，相互に干渉が生じることとなる。この干渉は，上述したＣＣＩ（共通チャネル干渉：ｃｏ−ｃｈａｎｎｅｌ  ｉｎｔｅｒｆｅｒｅｎｃｅ）である。また，一方のチャネルから他方のチャネルに対しても，干渉が生じることとなる。この干渉は，上述したＡＣＩ（隣接チャネル干渉：ａｄｊａｃｅｎｔ  ｃｈａｎｎｅｌ  ｉｎｔｅｒｆｅｒｅｎｃｅ）である。
【００３２】
図２を用いて説明したように，ＣＣＩやＡＣＩを考慮せずに，チャネルの割り当てを行うと，干渉の度合いが大きくなって，無線通信システム１のパフォーマンスが著しく低下する可能性が高いことが分かる。一方で，干渉の度合いを小さい場合を見出すために，チャネルの再割り当てを行うと，処理時間が増大することとなる。そこで，本態様では，ＣＣＩやＡＣＩを考慮したチャネル割り当て（チャネル分配）を実現するために，ネットワークコントローラー（ＮＣ）は，以下のように動作する。
【００３３】
図３は，図１に示すネットワークコントローラー（ＮＣ）によって実行される無線通信におけるチャネル分配方法の手順を示すフローチャートである。本態様では，無線通信システム１において，利用可能なチャネルの数が３つであり，通信リンクの数が４つである場合を例として説明する。
【００３４】
図３において，まず，ステップＳ１０では，ネットワークコントローラー（ＮＣ）は，モニタリングを行う。モニタリングの対象は，無線通信システム内で生じ得るあらゆる干渉の瞬間値である。好ましくは，モニタリングは周期的に行われる。
【００３５】
このモニタリングを実現するために，全ての通信リンクには，ＦＣＡＰ内でパイロット信号を周期的に送出させるが義務付けられている。このために，スーパーフレームのＦＣＡＰ内には，図４に示すように，複数回にわたるパイロット信号期間が設定（スケジューリング）される。このパイロット信号期間においては，各無線通信デバイス（特には，無線送信機）は，パイロット信号を送出する。パイロット信号の送出は，無線通信デバイス（無線送信機）同士が重複しないように順次行われる。ここで，パイロット信号は，対応する無線通信デバイス（無線受信機）が受信すべき信号に相当する。本態様では，ネットワークコントローラー（ＮＣ）もパイロット信号を受信（収集）することで，ネットワークコントローラー（ＮＣ）に，全ての無線通信デバイスからの情報が集約されることとなる。
【００３６】
続いて，ネットワークコントローラー（ＮＣ）は，収集したパイロット信号に含まれている情報（フィードバック情報）から，送信出力に関する情報を取得する。この送信出力に関する情報は，他の受信側の通信リンクへ与え得るＡＣＩ及びＣＣＩの情報に相当するともいえる。そして，ネットワークコントローラー（ＮＣ）内のチャネル分配器は，干渉モニタリングテーブルを作成する。干渉モニタリングテーブルには，各通信リンクから他の通信リンクへの干渉値があらゆる組み合わせにわたって記録される。以下に示す表１には，作成された干渉モニタリングテーブルの一例が示されており，数値が高いほど干渉の度合いが大きいことを示している。
【００３７】
【表１】
2010258714.tif 000003
【００３８】
その後のステップＳ２０では，ネットワークコントローラー（ＮＣ）は，複数の通信リンクの中から，１つの通信リンク（例えば，通信リンク１）を選択する。ここで，選択されたチャネルには，たとえば，任意の空きチャネル又は所定のチャネルが割り当てられる。
【００３９】
続くステップＳ３０では，ネットワークコントローラー（ＮＣ）は，通信リンクの数がチャネルの数よりも多いかどうかを判断する。本態様では，通信リンクの数の方が，利用可能なチャネルの数よりも１つ多いので，多いと判断される。このように，通信リンクの数がチャネルの数よりも多い場合には（ステップＳ３０でＹＥＳ），ネットワークコントローラー（ＮＣ）は，選択した通信リンクに対してＣＣＩが最も小さい通信リンク（他の通信リンク）を選択する（ステップＳ４０）。ここで，ＣＣＩが最も小さい通信リンクは，表１に示したような干渉モニタリングテーブルを参照（評価）することで選択される。
【００４０】
そして，ステップＳ５０では，ステップＳ２０で選択した通信リンクと，ステップＳ４０で選択した通信リンクの双方に対して，チャネルを共有するように，設定する。表１に示す例では，通信リンク１が選択されているとき，ステップＳ４０で通信リンク１に対する干渉値が最も小さい通信リンク４が選択される。このことは，通信リンク１と通信リンク４とが，図１に示されているように，最も離れていることと一致する。その理由は，ＣＣＩやＡＣＩといった干渉は，自由空間で経路損失を起こすという性質を有するために，通信リンク同士が離れるほど，干渉が緩和されてその度合いが小さくなるからである。本態様では，上記の性質を利用しているため，２つの通信リンクが１つのチャネルを共有するように設定したとしても，干渉の度合いを最小限度にとどめることができる。また，１つのチャネルを２つの通信リンクが共有することで，無線通信システム１において無線通信のスループットを高めることができる。なお，上記の性質は，ミリ波帯では顕著となる。したがって，無線通信システム１がミリ波帯を利用したものであることが好ましい。
【００４１】
続いて，通信リンクの数と，チャネルの数とを比較する（ステップＳ６０）。本態様では，２つの通信リンクに対してチャネルが割り当てられているので，チャネルが割り当てられていない通信リンクの数と，利用可能なチャネルの数は一致する。このような場合に限られず，無線通信システム１において，利用可能なチャネルの数の方が，通信リンクの数よりも多い場合もある（ステップＳ３０でＮＯ）。これらのような場合には，チャネル分配器は，各通信リンクに対して１つの固有チャネルを割り当てる。なお，この点では，図７を用いて説明した従来のＦＤＭＡ型の無線通信システムと同様である。
【００４２】
本態様では，各通信リンクに対して１つの固有チャネルを割り当てるにあたり，まず，ステップＳ２０で選択した通信リンクに対してＡＣＩの最も小さい通信リンクを選択する（ステップＳ７０）。ここで，ＡＣＩが最も小さい通信リンクは，表１に示したような干渉モニタリングテーブルを参照することで選択される。表１に示す例では，まだ選択されていない通信リンクのうち，干渉値が最も小さい通信リンクとして，通信リンク２が選択される。そして，ステップＳ７０で選択した通信リンクに対して，ステップＳ５０で設定したチャネルに隣接するチャネルを割り当てる（ステップＳ８０）。すなわち，表１に示す例では，通信リンク１に割り当てたチャネルと，通信リンク２に割り当てたチャネルとは，互いに隣接することとなる。このことは，通信リンク１と通信リンク２の間の距離の方が，通信リンク１と通信リンク３の間の距離に比べて大きい（離れている）ことに一致する。
【００４３】
なお，先に（ステップＳ５０で）共有チャネルを設定し，後で（ステップＳ８０で）隣接チャネルを設定している理由は，一般的に，ＣＣＩとＡＣＩとでは，ＣＣＩの方が，干渉の度合いが大きいからである。
【００４４】
その後，まだ選択されていない通信リンクがある場合には（ステップＳ９０でＹＥＳ），ステップＳ２０に戻って，ステップＳ２０〜Ｓ８０の処理に従ってチャネルの割り当てが行われる。表１に示す例では，通信リンク３に対して，空きチャネルを割り当てる。一方，全ての通信リンクに対するチャネルの割り当てが完了したら（ステップＳ９０でＮＯ），チャネル分配処理を終了する。
【００４５】
図５には，上記チャネル分配処理にしたがって，割り当てられたチャネル（チャネル１２，３）と，通信リンク１〜４との関係が示されている。図５から分かるように，第１に，チャネル１には，通信リンク１が割り当てられている。そして，そのチャネル１には，通信リンク１に対するＣＣＩが最も小さい通信リンク４が共有するように割り当てられている。また，チャネル１に隣接するチャネル２には，通信リンク２が割り当てられている。通信リンク３は，通信リンク２よりもＡＣＩが大きいため，チャネル１とは離れたチャネル３が割り当てられている。
【００４６】
なお，上述した態様では，最初にチャネルが割り当てられる通信リンクは，通信リンク１であったが，これに代えて，干渉モニタリングテーブルにおいて干渉値が最も小さい通信リンク（通信リンク４）であってもよい。ただし，無線通信システム１において，無線通信を優先すべき無線通信デバイスに対して優先順位を予め設定しておくことで，優先順位が最も高い無線通信デバイスに対して，最初にチャネルを割り当てるようにすることも可能である。
【００４７】
上述した態様によれば，第１に，通信リンクの数よりもチャネルの数が少ない場合には，選択されている通信リンクに対するＣＣＩが最も小さい他の通信リンクに対して共有チャネル設定がなされる。これにより，ＣＣＩが生じたとしても最小限度に抑えることができ，一方で，共有チャネルを利用して，無線通信のスループットを高めることができる。
【００４８】
また，上述した態様によれば，第２に，通信リンクの数がチャネルの数に一致するか又はそれよりも少ない場合には，選択されている通信リンクに対するＡＣＩが最も小さい他の通信リンクに対して，隣接チャネル設定がなされる。これにより，ＡＣＩが生じたとしても最小限度に抑えることができる。
【００４９】
第３に，残りの通信リンクに対しては，既に割り当てられたチャネルとは隣接していないチャネルが割り当てられる。特に，チャネルの数に余裕がある場合には，１つのチャネルが割り当てられる（上記例参照）。これにより，他のチャネルに与える干渉を最小限度に抑えることができる。
【００５０】
以上のように，チャネルの分配がなされるため，ＣＣＩやＡＣＩの度合いが十分に考慮されており，干渉の緩和と，スループットの向上との両立の点で最適化を図ることができ，無線通信システム１のパフォーマンスを十分に高めることができる。また，本態様によれば，図２を用いて説明したようなチャネルの再割り当てを行う必要がない。
【００５１】
なお，ＣＣＩを緩和することに関しては，本発明は，認可済みの周波数帯域に対しても，非認可の周波数帯域（ミリ波帯）に対しても利用することができる。
【００５２】
また，上述した態様において，モニタリングは複数回実行することが好ましい。これにより，干渉モニタリングテーブルを周期的に更新することができる。より好ましくは，干渉モニタリングテーブルを更新するたびにチャネル分配処理を行う。その結果，無線通信デバイスが移動したとしても，最新の干渉値に基づいて，チャネルの分配がなされることとなる。
【００５３】
なお，上述した態様では，通信リンクの数よりもチャネルの数が少ない場合に，共有チャネル設定を行うとしたが，トラフィックが混雑していない場合には，共有チャネル設定を行わずに，トラフィックが緩和されるまで待機するようにしてもよいし，ステップＳ７０〜Ｓ８０で隣接チャネル設定を行うようにしてもよい。本態様は，通信リンクに対して無作為にチャネルを割り当てた場合（図２に示した場合）よりも，少なくともＡＣＩを確実に緩和することができるという点で，効果を奏するからである。
【００５４】
また，上述した態様は，主に，無線通信システム１及び無線通信方法に関するものであった。しかし，上記態様において説明したフィールドを含むデータのフォーマットやフレーム構造も本発明又は本発明の一部を構成することとなる。また，上述した無線通信システム１を構成する無線通信デバイスやネットワークコントローラー（ＮＣ），さらには，上述した処理の一部又は全部に対応するプログラム（アルゴリズム）や当該プログラムを記憶した情報記憶媒体も，本発明又は本発明の一部を構成するのはいうまでもない。
【産業上の利用可能性】
【００５５】
本発明は，無線通信を行う分野で好適に利用することができる。特に，本発明は，無線通信システムのネットワークコントローラー（ＮＣ）や無線通信デバイス（無線受信機や無線送信機）に適用することができる。無線通信システムとしては，たとえば，ミリ波帯を利用したＷＰＡＮシステム（ｗｉｒｅｌｅｓｓ  ｐｅｒｓｏｎａｌ  ａｒｅａ  ｎｅｔｗｏｒｋ）がある。
【符号の説明】
【００５６】
１  無線通信システム
ＮＣ  ネットワークコントローラー
【図１】
2010258714.tif 000004
【図２】
2010258714.tif 000005
【図３】
2010258714.tif 000006
【図４】
2010258714.tif 000007
【図５】
2010258714.tif 000008
【図６】
2010258714.tif 000009
【図７】
2010258714.tif 000010